(57)【要約】【課題】  始動装置の回転伝達経路上に異常が発生した場合でも、駆動源によって内燃機関を始動できる始動装置を提供する。【解決手段】  始動装置１は、スタータモータ２と、スタータモータ２の回転をエンジンのクランク軸３に伝達するギヤ列４とを備え、ギヤ列４は、スタータギヤ５と、スタータギヤ５と噛み合うドリブンギヤ６と、ドリブンギヤ６と同軸的に設けられた中間ギヤ７とを備え、ドリブンギヤ６ははすば歯車によって構成された歯部６ａ、及び回転軸線ＣＬに沿って移動可能に支持されたドリブンギヤ軸６ｂを、中間ギヤ７は中間ギヤ軸７ｂをそれぞれ備え、ドリブンギヤ軸６ｂの回転伝達部６ｃ及び中間ギヤ７の中間ギヤ軸７ｂの互いに対向する位置に、補助伝達手段としての一対のねじ部１５、１６を設ける。【選択図】      図３
2005054737.tif 000002
【特許請求の範囲】
【請求項１】
駆動源からクランク軸へ回転を伝達する回転伝達経路内に、回転伝達の可否を切替えるクラッチ手段が設けられた内燃機関の始動装置において、
前記回転伝達経路には、前記駆動源によって回転駆動されかつ回転軸線に沿って移動可能な第１の回転伝達部材と、前記第１の回転伝達部材と前記クラッチ手段を介して接続され、前記第１の回転伝達部材と同軸上にて回転可能な第２の回転伝達部材とが設けられ、
前記第１の回転伝達部材には、前記回転軸線に沿って移動可能であり、かつ前記駆動源から駆動されることにより前記第２の回転伝達部材に向かう方向のスラスト力を受けるはすば歯車が設けられ、
前記第１の回転伝達部材と前記第２の回転伝達部材とには、前記第１の回転伝達部材の前記回転軸線上の移動に伴って接続及びその接続の解除が可能であり、接続時には両回転伝達部材間における前記クラッチ手段を迂回した前記回転伝達を可能とし、接続解除時には前記クラッチ手段を迂回した前記回転伝達を不能とする補助伝達手段が設けられている、
ことを特徴とする内燃機関の始動装置。
【請求項２】
前記補助伝達手段として、前記第１の回転伝達部材及び前記第２の回転伝達部材の互いに対向する位置に一対のねじ部が設けられていることを特徴とする請求項１に記載の内燃機関の始動装置。
【請求項３】
前記駆動源による駆動を開始してから前記内燃機関が始動するまでに要する時間を検出する始動時間検出手段と、前記始動時間検出手段の検出結果が所定値を上回った場合に前記クラッチ手段が故障したと判別する故障判別手段と、が設けられていることを特徴とする請求項１又は２に記載の内燃機関の始動装置。
【請求項４】
前記内燃機関は、走行状態に応じて内燃機関の停止及び始動を切り換え制御する停止制御手段を備えた車両に搭載され、前記故障判別手段が前記クラッチ手段の故障を判別した場合に、前記停止制御手段による前記内燃機関の停止制御を禁止する制御禁止手段が設けられていることを特徴とする請求項３に記載の内燃機関の始動装置。
【請求項５】
前記故障判別手段が前記クラッチ手段の故障を判別した場合に、所定の警告を発する警告手段が設けられていることを特徴とする請求項３又は４に記載の内燃機関の始動装置。
【請求項６】
前記内燃機関の暖機状態に応じて前記所定値を変化させる基準始動時間設定手段が設けられていることを特徴とする請求項３〜５のいずれか一項に記載の内燃機関の始動装置。
【発明の詳細な説明】
【技術分野】
【０００１】
本発明はクラッチ手段を介して駆動源からクランク軸へ回転を伝達する内燃機関の始動装置に関する。
【背景技術】
【０００２】
内燃機関の始動装置として、駆動源としてのスタータモータとモータジェネレータとを備え、モータジェネレータを内燃機関と併用しつつ走行する車両に適用され、スタータモータと内燃機関との回転数差が所定値以上の場合に始動装置の回転伝達経路上に異常が発生したと判定し、モータジェネレータを異常発生時の代替駆動源として機能させて内燃機関を始動する装置が知られている（特許文献１参照）。その他に、本発明に関連する先行技術文献として特許文献２及び３が存在する。
【０００３】
【特許文献１】特開２００１−１６５０２２号公報
【特許文献２】特開２００１−１６５０１９号公報
【特許文献３】特開平４−２７９７６５号公報
【発明の開示】
【発明が解決しようとする課題】
【０００４】
しかしながら、従来の始動装置は、代替駆動源としてモータジェネレータを使用する車両以外には適用できないという不都合があった。
【０００５】
そこで、本発明は始動装置の回転伝達経路上に設けられたクラッチ手段が故障して回転伝達が不能となった場合でも、駆動源によって内燃機関を始動できる始動装置を提供することを目的とする。
【課題を解決するための手段】
【０００６】
本発明の内燃機関の始動装置は、駆動源からクランク軸へ回転を伝達する回転伝達経路内に、回転伝達の可否を切替えるクラッチ手段が設けられた内燃機関の始動装置において、前記回転伝達経路には、前記駆動源によって回転駆動されかつ回転軸線に沿って移動可能な第１の回転伝達部材と、前記第１の回転伝達部材と前記クラッチ手段を介して接続され、前記第１の回転伝達部材と同軸上にて回転可能な第２の回転伝達部材とが設けられ、前記第１の回転伝達部材には、前記回転軸線に沿って移動可能であり、かつ前記駆動源から駆動されることにより前記第２の回転伝達部材に向かう方向のスラスト力を受けるはすば歯車が設けられ、前記第１の回転伝達部材と前記第２の回転伝達部材とには、前記第１の回転伝達部材の前記回転軸線上の移動に伴って接続及びその接続の解除が可能であり、接続時には両回転伝達部材間における前記クラッチ手段を迂回した前記回転伝達を可能とし、接続解除時には前記クラッチ手段を迂回した前記回転伝達を不能とする補助伝達手段が設けられることにより、上述した課題を解決する（請求項１）。
【０００７】
本発明によれば、駆動源にて第１の回転伝達部材が駆動されると、第１の回転伝達部材はその回転軸線の回りに回転するとともに、はすば歯車に作用するスラスト力によりその回転軸線上を第２の回転伝達部材に向けて移動する。しかしながら、クラッチ手段が正常に作動している限りにおいては、始動に必要なトルクが第１の回転伝達部材からクラッチ手段を介して第２の回転伝達部材に伝達される。この場合、両回転伝達部材が同軸上で一体的に回転するから、仮に第１の回転伝達部材が第２の回転伝達部材と接するまで移動しても補助伝達手段は回転伝達経路の一部として機能する必要がなく、また実際に補助伝達手段を介したトルク伝達は行われない。一方、クラッチ手段が故障してクラッチ手段を介した回転伝達が不能となった場合には、はすば歯車に作用するスラスト力で第１の回転伝達部材が第２の回転伝達部材へ接するまで移動し、このときに第２の回転伝達部材は回転していないか、又は第１の回転伝達部材よりも低速で空転しているから、両回転伝達部材が接続されて補助伝達手段を介して回転が伝達されるようになる。これにより、クラッチ手段が故障していてもこれを迂回して駆動源の回転運動をクランク軸側へ伝達して内燃機関を始動させることができる。また、内燃機関の始動後は第１の回転伝達部材と第２の回転伝達部材との接続を解除しておけば、クラッチ手段から駆動源側への回転伝達を阻止して内燃機関の負荷をクラッチ手段の正常時と同様に減らすことができる。
【０００８】
本発明の始動装置においては、前記補助伝達手段として、前記第１の回転伝達部材及び前記第２の回転伝達部材の互いに対向する位置に一対のねじ部が設けられてもよい（請求項２）。この態様によれば、クラッチ手段の故障時において第１の回転伝達部材と第２の回転伝達部材との間に生じる回転速度の差を利用してねじ部を締結し、両回転伝達部材を強固かつ確実に接続することができる。一方、内燃機関が始動するとクランク軸にて第２の回転伝達部材が回転駆動される一方、駆動源の停止により第１の回転伝達部材への回転入力は絶たれて第１の回転伝達部材には駆動源等が回転抵抗として作用する。これにより、第１の回転伝達部材に対して第２の回転伝達部材がねじ部の締結を緩める方向に相対的に回転してねじ部の締結が解除される。従って、クラッチ手段を迂回した回転伝達が不能となり、クラッチ手段から駆動源側が内燃機関の負荷として作用するおそれがなくなる。
【０００９】
本発明の始動装置は、前記駆動源による駆動を開始してから前記内燃機関が始動するまでに要する時間を検出する始動時間検出手段と、前記始動時間検出手段の検出結果が所定値を上回った場合に前記クラッチ手段が故障したと判別する故障判別手段とがさらに設けられてもよい（請求項３）。補助伝達手段を介した回転伝達は、補助伝達手段による回転伝達経路の形成が完了してから開始されるので、クラッチ手段を介した回転伝達よりも回転伝達が遅れる傾向が生じる。そこで、始動に要するまでの時間を検出して所定値と大小比較すれば、回転伝達がクラッチ手段又は補助伝達手段のいずれを介して行われているかを判別し、補助伝達手段を介した伝達の場合にはクラッチ手段が故障しているものと判別することができる。
【００１０】
本発明の始動装置は、走行状態に応じて内燃機関の停止及び始動を切り換え制御する停止制御手段を備えた車両に搭載されている内燃機関に適用することができ、前記故障判別手段が前記クラッチ手段の故障を判別した場合には、前記停止制御手段による前記内燃機関の停止制御を禁止する制御禁止手段が設けられてもよい（請求項４）。クラッチ手段が故障していると判別した場合に制御禁止手段によって内燃機関の停止制御を禁止することにより、補助伝達手段を介して回転が伝達される頻度を減らすことができる。これにより、補助伝達手段に要求される強度や耐久性を緩和して補助伝達手段を追加することによるコストアップを抑えることができる。
【００１１】
さらに、本発明の始動装置においては、前記故障判別手段が前記クラッチ手段の故障を判別した場合に、所定の警告を発する警告手段が設けられてもよい（請求項５）。この態様によれば、クラッチ手段の故障を警告して、その故障に対する適切な処置を促すことができるので、故障が放置されて補助伝達手段に依存した始動が繰り返されるおそれを低減することができる。
【００１２】
本発明の始動装置において、前記内燃機関の暖機状態に応じて前記所定値を変化させる基準始動時間設定手段が設けられてもよい（請求項６）。内燃機関の始動時間は、内燃機関の暖機状態と相関があり、内燃機関が十分に暖機されているほど始動時間は短くなる。従って、内燃機関の暖機状態に応じて所定値を変化させることによって、クラッチ手段の故障を判別する精度を高めることができる。
【発明の効果】
【００１３】
以上に説明したように、本発明によれば、クラッチ手段を介した回転伝達が不能となった場合に、はすば歯車に作用するスラスト力を利用して第１の回転伝達部材を第２の回転伝達部材側へ移動させて両回転伝達部材を接続し、第１の回転伝達部材から補助伝達手段を介して第２の回転伝達部材へ回転を伝達することができるから、クラッチ手段が故障していてもこれを迂回して駆動源の回転運動をクランク軸側へ伝達して内燃機関を始動させることができる。また、内燃機関の始動後は第１の回転伝達部材と第２の回転伝達部材との接続を解除しておけば、クラッチ手段から駆動源側への回転伝達を阻止して内燃機関の負荷をクラッチ手段の正常時と同様に減らすことができる。
【発明を実施するための最良の形態】
【００１４】
図１は、車両の走行用の動力源として使用される内燃機関（以下、エンジンと呼ぶ。）用の始動装置に関する本発明の一形態を示している。なお、エンジンはピストンの往復運動を回転運動に変換するレシプロ式のエンジンであるが、その図示は省略する。図１の始動装置１は、スタータモータ２と、スタータモータ２の出力軸２ａの回転をエンジンのクランク軸３に伝達するギヤ列４とを備えている。ギヤ列４は、スタータギヤ５と、スタータギヤ５と噛み合う第１の回転伝達部材としてのドリブンギヤ６と、ドリブンギヤ６と同軸的に設けられた第２の回転伝達部材としての中間ギヤ７と、中間ギヤ７と噛み合うクランクギヤ８とを備えている。これらのギヤ５、６、７、８は、それぞれはすば歯車である。はずば歯車は、歯車の回転軸に対して斜めに傾いた歯筋を有する円筒歯車で、円滑な回転伝達を行なうことができる。スタータギヤ５とドリブンギヤ６、中間ギヤ７とクランクギヤ８との間の歯数比は、スタータモータ２側からクランク軸３側に向かって回転が減速して伝達されるように設定されており、スタータモータ２の回転は漸次減速されてクランク軸３まで伝達される。
【００１５】
図２に示すように、スタータギヤ５には、歯部５ａとスタータギヤ軸５ｂとが一体回転可能に設けられている。スタータギヤ軸５ｂの端部５ｃは、スタータモータ２の出力軸２ａ（図１）に接続されている。ドリブンギヤ６には、歯部６ａとドリブンギヤ軸６ｂとが一体回転可能に設けられている。図３に示すように、ドリブンギヤ軸６ｂには、回転伝達部６ｃ、６ｄと、ストッパ部６ｅと、抜け止め部６ｆと、支持部６ｇ、６ｈとが同軸上に設けられている。ドリブンギヤ軸６ｂはスタータギヤ軸５ｂ（図２）と平行に配置され、支持部６ｇ、６ｈにて回転自在に、かつ回転軸線ＣＬに沿って移動可能に支持されている。図２に戻って、スタータギヤ５及びドリブンギヤ６の歯部５ａ、６ａの歯筋は、エンジン始動時のスタータギヤ軸５ｂの回転（矢印Ｒ１方向の回転）に伴って中間ギヤ７に接近する方向（矢印Ｆ１の方向）のスラスト力がドリブンギヤ６に作用するように設定されている。
【００１６】
図３に示すように、中間ギヤ７には、歯部７ａと中間ギヤ軸７ｂとが一体回転可能に設けられている。中間ギヤ軸７ｂの内周面７ｃ、７ｄ、７ｅには、クラッチ手段としての一方向クラッチ１１と、一方向クラッチ１１を回転軸線ＣＬの軸方向に関して挟み込むように配置された軸受１２、１３とがすきま嵌めにて嵌め合わされている。一方向クラッチ１１及び軸受１２、１３は、中間ギヤ軸７ｂに嵌め合わされた状態で支持部６ｈ側から回転伝達部６ｄに組み合わされている。抜け止め部６ｆ上には、軸受１３の端面１３ａに接するようにして抜け止め１４が取り付けられている。抜け止め１４は、ストッパ部６ｅとの間に一方向クラッチ１１及び軸受１２、１３を挟み込むことによって、一方向クラッチ１１及び軸受１２、１３の軸方向に関する移動を拘束している。
【００１７】
一方向クラッチ１１はドリブンギヤ軸６ｂから中間ギヤ軸７ｂへの回転伝達を許容し、中間ギヤ軸７ｂからドリブンギヤ軸６ｂへの回転伝達を阻止するように設けられている。従って、図１の始動装置１では、エンジンの始動時には、スタータモータ２の出力軸２ａの回転がスタータギヤ５、ドリブンギヤ６、中間ギヤ７、クランクギヤ８の順に伝達され、クランク軸３が回転駆動される。また、エンジンの始動後にスタータモータ２が停止すると、クランクギヤ８、中間ギヤ７はクランク軸３によって回転駆動されるが、その回転の伝達は一方向クラッチ１１（図３）にて遮断される。これにより、スタータギヤ５、ドリブンギヤ６、中間ギヤ７、クランクギヤ８が常時噛み合っていても、ドリブンギヤ６及びスタータギヤ５は回転しない。
【００１８】
図４に詳しく示したように、ドリブンギヤ６の回転伝達部６ｃ及び中間ギヤ７の中間ギヤ軸７ｂの互いに対向する位置には、補助伝達手段としての一対のねじ部１５、１６が設けられている。ねじ部１５、１６のねじれ方向は、エンジン始動時のドリブンギヤ軸６ｂの回転（図２の矢印Ｒ２方向の回転）に伴ってねじ部１５がねじ部１６にねじ込まれる方向に設定されている。
【００１９】
なお、図２及び図３のスタータギヤ５、ドリブンギヤ６、中間ギヤ７において、それぞれの歯部５ａ、６ａ、７ａ及び軸５ｂ、６ｂ、７ｂを一体回転可能とするためには、歯部５ａ、６ａ、７ａを軸５ｂ、６ｂ、７ｂと一体に成形してもよいし、軸５ｂ、６ｂ、７ｂとは別工程で製造された歯部５ａ、６ａ、７ａを焼き嵌め、圧入等の結合方法を用いて軸５ｂ、６ｂ、７ｂの外周に固定してもよい。
【００２０】
次に、図２〜図６を参照してドリブンギヤ６及び中間ギヤ７の動作を説明する。図２に示すように、エンジン始動時にはスタータギヤ５は矢印Ｒ１の方向に回転駆動されている。従って、ドリブンギヤ６は、歯部５ａ、６ａの噛み合いによって矢印Ｒ２の方向に回転しつつ矢印Ｆ１の方向のスラスト力を受ける。図３の一方向クラッチ１１が正常である場合は、ドリブンギヤ軸６ｂ及び中間ギヤ軸７ｂは一方向クラッチ１１を介して一体で回転するので、図４のねじ部１５、１６には周方向に関する相対速度が生じない。ねじ部１５がねじ部１６にねじ込まれることはないので、図３の一方向クラッチ１１を介した回転伝達経路Ｔ１によって回転伝達される。
【００２１】
一方向クラッチ１１が故障した場合には、ドリブンギヤ軸６ｂ及び中間ギヤ軸７ｂは一体で回転できないので、ねじ部１５、１６に周方向に関する相対速度が生じる。このため、矢印Ｆ１（図２）の方向のスラスト力によってドリブンギヤ軸６ｂが中間ギヤ軸７ｂの方向に接近してドリブンギヤ軸６ｂ及び中間ギヤ軸７ｂが互いに接触すると、図６に示すようにねじ部１５は、周方向に関する相対速度によってねじ部１６にねじ込まれる。ねじ部１５は、ドリブンギヤ６の回転軸線ＣＬに垂直に設けられた壁部６ｉと中間ギヤ軸７ｂの端面７ｆとが接触するまでねじ部１６にねじ込まれる。ねじ部１５、１６の接触によって、図５に示すようにドリブンギヤ軸６ｂ及び中間ギヤ軸７ｂには、一方向クラッチ１１を迂回した回転伝達経路Ｔ２が形成される。この回転伝達経路Ｔ２によってドリブンギヤ軸６ｂから中間ギヤ軸７ｂへの回転伝達が可能となる。
【００２２】
エンジン始動後には、中間ギヤ軸７ｂはクランク軸３によって回転駆動される。この場合、ねじ部１５、１６が緩む方向に中間ギヤ軸７ｂが回転駆動され、かつドリブンギヤ軸６ｂにはスタータモータ２から抵抗力が付加されているので、ねじ部１５、１６は緩められる。これにより、中間ギヤ軸７ｂ及びドリブンギヤ軸６ｂは離間する。一方向クラッチ１１を迂回した回転伝達経路Ｔ２は切断されるので、ドリブンギヤ軸６ｂから中間ギヤ軸７ｂへの回転伝達が不能となる。
【００２３】
次に、ねじ部１５、１６のねじ長さについて説明する。ねじ部１５がねじ部１６へねじ込まれるのに要する時間は、ねじ部１５、１６のねじ長さに応じて変化する。例えば、ねじ部１５、１６のねじ長さを極端に短くすると、一方向クラッチ１１が正常であってもドリブンギヤ軸６ｂ及び中間ギヤ軸７ｂがねじ部１５、１６によって接続されてしまう。ねじ部１５、１６は一方向クラッチ１１が故障した場合にのみ接続されて回転伝達することが望ましい。この要件を満たすために、一方向クラッチ１１が正常な場合のエンジン始動に必要な始動時間（以下、正常時の始動時間と呼ぶ。）τuと一方向クラッチが故障した場合のドリブンギヤ６の空転時間τbとが次の式を満足するようにねじ部１５、１６のねじ長さを設定すればよい。
【数１】
2005054737.tif 000003
ここで、正常時の最大始動時間τu_max及び正常時の最小始動時間τu_minは、正常時の始動時間τuのばらつきのうちの最大値及び最小値である。（１）式は次のように表現できる。
【数２】
2005054737.tif 000004
（２）式において左辺は、一方向クラッチ１１が故障してドリブンギヤ６が空転した後、ねじ部１５がねじ部１６にねじ込まれた場合の最小始動時間を、右辺は一方向クラッチ１１が正常な場合の最大始動時間をそれぞれ表している。従って、一方向クラッチ１１が正常であれば、ねじ部１５、１６によって始動されることなく、一方向クラッチ１１を介し始動される。
【００２４】
図１に示すように、始動装置１には一方向クラッチ１１の故障を診断するために故障診断装置３０が設けられている。故障診断装置３０は、回転数に対応した信号を出力する回転センサ３１と、冷却水の温度に対応した信号を出力する水温センサ３２と、エンジンコントロールユニット（ＥＣＵ）５０とを組み合わせて構成されている。ＥＣＵ５０は、回転センサ３１、水温センサ３２等からの出力信号を参照し、ＲＯＭに記録されたプログラムに従ってエンジンの運転状態（例えば燃料噴射状態）を制御するコンピュータとして設けられている。ＥＣＵ５０は、エンジンが搭載された車両の走行状態に応じてエンジンの停止及び始動を自動的に切り換え制御する停止制御手段として機能する他に、図７に示す故障診断ルーチンを一定周期で繰り返し実行することにより、本発明の始動時間検出手段、故障判別手段、制御禁止手段、警告手段、及び基準始動時間設定手段としても機能する。なお、エンジンの停止及び始動の切り換え制御の手順は公知のものと同様でよく、ここでは説明を省略する。
【００２５】
以下に故障診断ルーチンの説明をする。図７の故障診断ルーチンにおいて、ＥＣＵ５０は、まずステップＳ１にてスタータリレーＯＮ、つまりスタータモータ２が駆動を開始したか否かを判断する。スタータモータ２が駆動を開始していないと判断した場合には、今回のルーチンを終了する。スタータモータ２が駆動を開始したと判断した場合には、ステップＳ２に進む。続くステップＳ２では、スタータモータ２によってクランク軸３が駆動され、エンジンが始動したか否かを判断する。エンジンの始動は、例えば回転センサ３１によって検出されたエンジンの回転数が零より大きくなったことによって判断される。エンジンが始動していないと判断した場合には、今回のルーチンを終了する。エンジンが始動したと判断した場合にはステップＳ３に進み、水温センサ３２の出力信号を取得して冷却水の水温を読み込む。続くステップＳ４では、予め実験的に求められてＥＣＵ５０のＲＯＭに保存されたマップから水温に対応する正常時の最大始動時間τu_maxを取得する。
【００２６】
続くステップＳ５では、スタータリレーＯＮ状態になってからエンジンの回転数が零より大きくなるまでの始動時間τを測定し、ステップＳ６ではステップＳ４で取得した正常時の最大始動時間τu_maxよりステップＳ５で測定した始動時間τが大きいか否かを判断する。始動時間τが正常時の最大始動時間τu_max以下であれば、今回のルーチンを終了する。一方、τ＞τu_maxの場合には、一方向クラッチ１１が故障したと判別してステップＳ７に進む。続くステップＳ７では、車両の走行状態に応じたエンジンの停止制御を禁止するいわゆるエコラン禁止モードに切り換えてステップＳ８に進む。ステップＳ８では所定の警告表示として、例えば車室の計器パネルに設けられた警告ランプを点灯させ、その後にルーチンを終了する。
【００２７】
以上の形態によれば、一方向クラッチ１１が故障した場合でも、ねじ部１５、１６が接続されることによってスタータモータ２によるエンジンの始動ができる。正常時の最大始動時間τuと始動時間τとを比較することによって、一方向クラッチ１１の故障を判別することができる。一方向クラッチ１１の故障を判別して、エコラン禁止モードにすることで一方向クラッチ１１が故障した状態でエンジンの停止及び始動が繰り返される事態を防止して、ねじ部１５、１６が回転伝達に使用される頻度を低減することができる。これにより、始動装置１のさらなる故障等の二次的な故障を回避することができる。さらに、運転者に一方向クラッチ１１の故障を警告することにより、一方向クラッチ１１を正常な状態に回復させる処置を促すことができる。
【００２８】
以上の実施形態では、図７の故障診断ルーチンのうち、ＥＣＵ５０がステップＳ４を実行することにより基準始動時間設定手段として、ステップＳ５を実行することにより始動時間検出手段として、ステップＳ６を実行することにより故障判別手段として、ステップＳ７を実行することにより制御禁止手段として、ステップＳ８を実行することにより警告手段としてそれぞれ機能する。
【００２９】
本発明は上述した形態に限定されることなく、種々の形態にて実施してよい。例えば図８に示すように、ステップＳ５において測定した始動時間τは、エンジンの回転数が零より大きくなるまでの時間τ1であることに限定されず、エンジンの回転数が予め設定された回転数Ｎaを上回るまでの時間τ2であってもよい。あるいはスタータリレーＯＦＦ状態となるまでの時間τ3であってもよい。また、クランク角センサからのクランク角信号が入力され始めるまでの時間τ4を始動時間τとしてもよい。
【００３０】
さらに、上述した形態では、補助伝達手段としてねじ部１５、１６が設けられているが、本発明はこのような態様に限定されない。例えば、図９（ａ）に示すように、ドリブンギヤ軸６ｂ及び中間ギヤ軸７ｂの互いに対向する面６ｊ、７ｆにマグネットが設けられてもよい。この場合は、図９（ｂ）に示すように、磁力を介して一方向クラッチ１１を迂回した回転伝達経路Ｔ３が形成される。あるいは、ドリブンギヤ軸６ｂ及び中間ギヤ軸７ｂの互いに対向する面６ｊ、７ｆに摩擦板が設けられてもよい。この場合はドリブンギヤ６に作用するスラスト力に伴って面６ｊ、７ｆに生じる摩擦力を介して一方向クラッチ１１を迂回した回転伝達経路Ｔ３が形成される。回転伝達経路Ｔ３によってドリブンギヤ軸６ｂから中間ギヤ軸７ｂへの回転伝達が可能となる。
【図面の簡単な説明】
【００３１】
【図１】本発明の一実施形態に係る始動装置の斜視図。
【図２】図１の始動装置の要部を示す図。
【図３】図１の始動装置の要部を示す断面図。
【図４】図３のIV部の拡大図。
【図５】図１の始動装置の要部を示す断面図。
【図６】図５のVI部の拡大図。
【図７】図１のＥＣＵにて実行される故障診断ルーチンを示すフローチャート。
【図８】図７の始動時間の例を示す図。
【図９】補助伝達手段の変形例を示す断面図。
【符号の説明】
【００３２】
１  始動装置
２  スタータモータ（駆動源）
３  クランク軸
４  ギヤ列
５  スタータギヤ
６  ドリブンギヤ（第１の回転伝達部材）
６ｂ  ドリブンギヤ軸
７  中間ギヤ（第２の回転伝達部材）
７ｂ  中間ギヤ軸
８  クランクギヤ
１１  一方向クラッチ（クラッチ手段）
１２，１３  軸受
１５，１６  ねじ部（補助伝達手段）
３０  故障診断装置
５０  エンジンコントロールユニット（ＥＣＵ、始動時間検出手段、故障判別手段、停止制御手段、制御禁止手段、警告手段、基準始動時間設定手段）
ＣＬ  回転軸線
【図１】
2005054737.tif 000005
【図２】
2005054737.tif 000006
【図３】
2005054737.tif 000007
【図４】
2005054737.tif 000008
【図５】
2005054737.tif 000009
【図６】
2005054737.tif 000010
【図７】
2005054737.tif 000011
【図８】
2005054737.tif 000012
【図９】
2005054737.tif 000013